(57)【要約】【課題】第１の筐体と第２の筐体とを開いたときのストッパを、がたつくことなく且つ強い荷重に耐えられると共に、取り外し可能なものにする。【解決手段】第２の筐体７に、開き動作時に第１の筐体３が当接する開状態用ストッパ１１を設ける。第２の筐体７に、第１の筐体３の回動方向に延びる嵌込用突起１２を設け、開状態用ストッパ１１に嵌込用凹部１３を形成する。そして、嵌込用突起１２を嵌込用凹部１３に嵌め込むことで、開状態用ストッパ１１を第２の筐体７に取り外し可能に取り付ける。【選択図】図１
2016123040.tif 000002
【特許請求の範囲】
【請求項１】
第１の筐体と第２の筐体とが、ヒンジ軸を介して折畳み開閉可能に連結された電子機器において、
上記第２の筐体には、開き動作時に上記第１の筐体が当接する開状態用ストッパが設けられ、
上記第２の筐体は、上記第１の筐体の回動方向に延びる嵌込用突起及び嵌込用凹部のいずれか一方を有し、上記開状態用ストッパに嵌込用突起及び嵌込用凹部の他方が形成されており、
上記嵌込用突起が上記嵌込用凹部に嵌め込まれることで、上記開状態用ストッパが上記第２の筐体に取り外し可能に固定されている
ことを特徴とする電子機器。
【請求項２】
請求項１に記載の電子機器において、
上記第２の筐体及び上記開状態用ストッパのいずれか一方は、上記第１の筐体の回動方向と交差する方向に延びる予備嵌込用突起を有し、上記第２の筐体及び上記開状態用ストッパの他方は、上記予備嵌込用突起が嵌め込まれる予備嵌込用凹部を有する
ことを特徴とする電子機器。
【請求項３】
請求項２に記載の電子機器において、
上記予備嵌込用突起が上記予備嵌込用凹部に嵌め込まれた状態で、上記嵌込用突起が上記嵌込用凹部に嵌め込まれることで、上記開状態用ストッパが上記第２の筐体に取り外し可能に固定されている
ことを特徴とする電子機器。
【請求項４】
請求項１〜３のいずれか１つに記載の電子機器において、
上記第１の筐体と上記第２の筐体とを開いたときに、上記開状態用ストッパが上記第１の筐体に当接する前に互いに当接する予備ストッパが上記第１の筐体及び上記第２の筐体のそれぞれに設けられている
ことを特徴とする電子機器。
【発明の詳細な説明】
【技術分野】
【０００１】
本発明は、第１の筐体と第２の筐体とが、ヒンジ軸を介して折畳み開閉可能に連結された電子機器に関し、特にその開状態におけるストッパの構造に関する。
【背景技術】
【０００２】
従来より、第１筐体と第２筐体とを最大まで開くと、外ケースの外ケース端部が開閉ストッパに突き当たって止まる電子機器が知られている（例えば、特許文献１参照）。開閉ストッパは、エラストマーなどの弾性体の材質でできており、突き当たる外ケース端部が傷つかないようになっている。
【先行技術文献】
【特許文献】
【０００３】
【特許文献１】特開２０１０−１７８１８９号公報
【発明の概要】
【発明が解決しようとする課題】
【０００４】
このような電子機器では、使用時にストッパが壊れにくく且つがたつきが生じたり外れたりするのを防止する必要がある。一方で、ストッパ及びその周辺の設置スペースが限られているため等の理由で、ストッパが筐体に接着剤などで固定されていることが多い。このため、電子機器の分解時にストッパが外れないという問題がある。
【０００５】
本発明は、かかる点に鑑みてなされたものであり、その目的とするところは、第１の筐体と第２の筐体とを開いたときのストッパを、がたつくことなく且つ強い荷重に耐えられると共に、取り外し可能なものにすることにある。
【課題を解決するための手段】
【０００６】
上記の目的を達成するために、この発明では、回動時の第１の筐体による荷重に耐えられる取り外し可能な開状態用ストッパを第２の筐体に設けた。
【０００７】
具体的には、本発明では、第１の筐体と第２の筐体とが、ヒンジ軸を介して折畳み開閉可能に連結された電子機器を前提とし、
上記第２の筐体には、開き動作時に上記第１の筐体が当接する開状態用ストッパが設けられ、
上記第２の筐体は、上記第１の筐体の回動方向に延びる嵌込用突起及び嵌込用凹部のいずれか一方を有し、上記開状態用ストッパに嵌込用突起及び嵌込用凹部の他方が形成されており、
上記嵌込用突起が上記嵌込用凹部に嵌め込まれることで、上記開状態用ストッパが上記第２の筐体に取り外し可能に固定されている。
【０００８】
上記の構成によると、開状態用ストッパは、嵌込用突起と嵌込用凹部との嵌込構造となっているので、第１の筐体に押されても外れにくい上に、がたつきにくく、また取り外し可能に第２の筐体に取り付けられているので、分解が容易である。また、開状態用ストッパは、第１の筐体の回動方向に延びているので、第１の筐体がさらに押し広げられようとする荷重を嵌込用突起と嵌込用凹部とで主として圧縮荷重として確実に支持できる。このため、開状態用ストッパが破損したり外れたりしにくい。なお、ここでいう「第１の筐体の回動方向」は、ヒンジ軸を中心とした厳密な円周方向という意味ではなく、第１の筐体がさらに押し広げられようとするときに、第１の筐体の一部がストッパを押す方向という意味である。
【発明の効果】
【０００９】
以上説明したように、本発明によれば、嵌込用突起を嵌込用凹部に嵌め込むことにより開状態用ストッパを取り外し可能に第２の筐体に固定したことにより、第１の筐体と第２の筐体とを開いたときのストッパを、がたつくことなく且つ強い荷重に耐えられると共に、取り外し可能なものにすることができる。
【図面の簡単な説明】
【００１０】
【図１】本発明の実施形態に係る図２（Ｂ）のＩ−Ｉ線断面図である。
【図２】図２（Ａ）が折畳み状態の折畳み式携帯電話機を示す斜視図であり、図２（Ｂ）が開き状態の折畳み式携帯電話機を示す斜視図である。
【図３】折畳み式携帯電話機を示す分解斜視図である。
【図４】図２（Ｂ）のIV−IV線断面図である。
【図５】図２（Ｂ）のＶ−Ｖ線断面図である。
【図６】実施形態２に係る図１相当断面図である。
【図７】実施形態３に係る図１相当断面図である。
【発明を実施するための形態】
【００１１】
以下、本発明の実施形態を図面に基づいて説明する。
【００１２】
図１〜図５は、本発明の実施形態１の電子機器としての折畳み式携帯電話機１を示し、この折畳み式携帯電話機１では、表示部２が設けられた第１の筐体３と、操作キー４ａが設けられた第２の筐体７とが、ヒンジ軸１０（図１に示す）を介して左右に延びるＸ軸を中心に折畳み開閉可能に連結されている。表示部２は、例えばタッチパネル２ａを含んでいてもよい。第１の筐体３は、例えば、樹脂成形品、金属成形品等よりなる背面カバー３ａで覆われており、正面側に表示部２を収容可能な例えば硬質樹脂材料の成形品よりなる上部キャビネット３ｂを備えている。背面カバー３ａは、上部キャビネット３ｂと一体でもよい。
【００１３】
一方、第２の筐体７は、例えば、正面側に操作キー４ａ等が設けられる正面側キャビネット４と、その背面を覆う背面側キャビネット５と、さらにその背面を覆うリアカバー６とを備えている。正面側キャビネット４と背面側キャビネット５との間には、例えば、メイン基板８ａ、サブ基板組品８ｂ、充電池８ｃ等が収容されている。リアカバー６は、なくてもよい。
【００１４】
ヒンジ軸１０は左右１対の部品で構成され、その一方は図１に示すように、例えば金属製の軸よりなり、他方(図示せず)は、ストッパないしクリック機能を有する軸よりなり、上部キャビネット３ｂに設けた中央膨出部３ｃと、この中央膨出部３ｃを挟み込むように正面側キャビネット４に設けた外側膨出部４ｂとに支持されている。
【００１５】
そして、第２の筐体７の一対の外側膨出部４ｂの間には、開き動作時に第１の筐体３の背面が当接する開状態用ストッパ１１が設けられている。開状態用ストッパ１１は、第１の筐体３の背面カバー３ａの材料よりも柔らかい材料（例えば、ナイロン樹脂、エラストマー、ポリアセタール樹脂等）で構成されている。
【００１６】
また、図５に示すように、第１の筐体３と第２の筐体７とを所定の最大角度に開いたときに、開状態用ストッパ１１が第１の筐体３の背面カバー３ａに当接する前に互いに当接する第１予備ストッパ１６及び第２予備ストッパ１７が第１の筐体３及び第２の筐体７にそれぞれ設けられている。例えば、第１予備ストッパ１６は、中央膨出部３ｃに固定されており、材質は、開状態用ストッパ１１と同様とすればよいし、上部キャビネット３ｂと同様の材質でもよい。第２予備ストッパ１７は、正面側キャビネット４に形成した第１予備ストッパ１６に対応する当接面で構成されている。この第１予備ストッパ１６が第２予備ストッパ１７に当接することで、第１の筐体３と第２の筐体７との最大角度が規定されている。このため、図１に示すように、通常使用時には、背面カバー３ａと開状態用ストッパ１１との間に隙間Ｃが確保されている。
【００１７】
そして、図１に示すように、第２の筐体７は、第１の筐体３の回動方向に延びる嵌込用突起１２を有し、それに対応させて開状態用ストッパ１１に嵌込用凹部１３が形成されている。この嵌込用突起１２が嵌込用凹部１３に嵌め込まれることで、開状態用ストッパ１１が取り外し可能に固定されている。例えば、図１に拡大して示すように、嵌込用突起１２には、第１鉤部１２ａが形成され、開状態用ストッパ１１の嵌込用凹部１３には、第１鉤部１２ａが係合する第２鉤部１３ａが設けられている。これら第１鉤部１２ａと第２鉤部１３ａが係合することで、抜け止めされている。これら第１鉤部１２ａと第２鉤部１３ａとは、なくてもよい。なお、リアカバー６で背面側キャビネット５を覆ったときに開状態用ストッパ１１がさらに抜け止めされるようにしてもよい。
【００１８】
さらに、開状態用ストッパ１１は、ヒンジ軸１０の円周方向と交差する方向に延びる予備嵌込用突起１４を有し、これに対応させて第２の筐体７は、予備嵌込用突起１４が嵌め込まれる予備嵌込用凹部１５を有する。例えば、これら予備嵌込用突起１４を予備嵌込用凹部１５にまず嵌め込んで開状態用ストッパ１１を正面側キャビネット４に仮止めし、その後、背面側キャビネット５を正面側キャビネット４に結合するときに、嵌込用突起１２が嵌込用凹部１３に嵌め込まれることで、開状態用ストッパ１１が第２の筐体７に取り外し可能に固定されるようにしてもよい。
【００１９】
以上のように構成した折畳み式携帯電話機１では、第１の筐体３を第２の筐体７に対して開いたときに、まず、第１予備ストッパ１６が第２予備ストッパ１７に当接して所定の開き角度で開かれる。このとき、開状態用ストッパ１１と背面カバー３ａとの間に隙間Ｃが保たれている。
【００２０】
しかし、何らかの理由で第１の筐体３を第２の筐体７に対して開こうとする荷重がさらに加わると、隙間Ｃがなくなって、開状態用ストッパ１１と背面カバー３ａとが当接する。開状態用ストッパ１１は、第１の筐体３の背面カバー３ａの材料よりも柔らかい材料で構成されているので、第１の筐体３の背面カバー３ａが開状態用ストッパ１１に当接しても、背面カバー３ａに傷がつかない。
【００２１】
このとき、開状態用ストッパ１１は、第１の筐体３の回動方向と、それに交差する方向の２方向にわたる嵌込構造となっているので、第１の筐体３の背面カバー３ａに押されてもがたつかず且つ外れにくい。
【００２２】
また、開状態用ストッパ１１は、第１の筐体３の回動方向に延びているので、第１の筐体３がさらに押し広げられようとする荷重を嵌込用突起１２と嵌込用凹部１３とで主として圧縮荷重として確実に支持できるので、開状態用ストッパ１１が破損したり外れたりしにくい。
【００２３】
また、開状態用ストッパ１１が確実に荷重を支持するので、さらに第１の筐体３が開くのを防止でき、第１予備ストッパ１６及び第２予備ストッパ１７が破損することを効果的に避けることができる。
【００２４】
そして、折畳み式携帯電話機１を分解するときには、開状態用ストッパ１１が第２の筐体７に対して接着されておらず、取り外し可能に第２の筐体７に取り付けられているので、分解が容易である。
【００２５】
したがって、本実施形態に係る携帯電話機１によると、第１の筐体３と第２の筐体７とを開いたときの開状態用ストッパ１１を、がたつくことなく且つ強い荷重に耐えられると共に、取り外し可能なものにすることができる。
【００２６】
（実施形態２）
図６は本発明の実施形態２に係る折畳み式携帯電話機１０１を示し、開状態用ストッパ１１の固定構造が異なる点で実施形態１と異なる。なお、以下の各実施形態では、図１〜図５と同じ部分については同じ符号を付してその詳細な説明は省略する。
【００２７】
すなわち、本実施形態では、正面側キャビネット４にほぼ第１の筐体３の回動方向（白抜き矢印で示す）に延びる嵌込用突起１２が形成されており、これに対応させて開状態用ストッパ１１は、嵌込用凹部１３を有する。このように、嵌込用突起１２が嵌込用凹部１３に嵌め込まれることで、開状態用ストッパ１１が正面側キャビネット４に対して取り外し可能に固定されている。
【００２８】
また、本実施形態では、第２の筐体７は、リアカバー６を有さない。開状態用ストッパ１１は、ヒンジ軸１０の円周方向と交差する方向に延びる予備嵌込用突起１４を有し、背面側キャビネット５は、この予備嵌込用突起１４が嵌め込まれる予備嵌込用凹部１５を有する。予備嵌込用突起１４が予備嵌込用凹部１５に嵌め込まれることで、開状態用ストッパ１１が背面側キャビネット５に対して取り外し可能に固定されている。
【００２９】
開状態用ストッパ１１は、上部キャビネット３ｂに設けたヒンジカバー１８に当接するように構成されている。ヒンジカバー１８は、中央膨出部３ｃに設けられ、上部キャビネット３ｂと同様に硬質樹脂材料で構成されており、第１の筐体３からのフレキシブル基板（図示せず）を隠す目隠しの役割と、強度部品として開状態用ストッパ１１との当接部の役割とを有する。
【００３０】
このように開状態用ストッパ１１が第２の筐体７に対して２方向に嵌合しているので、がたつかず且つ外れにくいが、第２の筐体７を順番に分解していけば、容易に開状態用ストッパ１１を第２の筐体７から取り外すことができる。
【００３１】
本実施形態に係る折畳み式携帯電話機１０１では、正面側キャビネット４の成形時の型抜き方向等から第１の筐体３の回動方向に完全には一致させてはいないが、第１の筐体３から受ける荷重を嵌込用突起１２と嵌込用凹部１３とで確実に支持することができる。このため、第１の筐体３と第２の筐体７とを開いたときの開状態用ストッパ１１を、がたつくことなく且つ強い荷重に耐えられると共に、取り外し可能なものにすることができる。
【００３２】
（実施形態３）
図７は本発明の実施形態３に係る折畳み式携帯電話機２０１を示し、嵌込用突起１２の形成箇所が異なる点で上記実施形態２と異なる。
【００３３】
すなわち、本実施形態では、嵌込用突起１２が正面側キャビネット４に一体ではなく、正面側キャビネット４に設けた凹部４ｃに嵌め込まれた別部品２０に形成されている。この別部品２０は、背面側キャビネット５側に嵌め込まれていてもよい。また、この別部品２０側に嵌込用凹部１３を設け、開状態用ストッパ１１に嵌込用突起１２を設けてもよい。
【００３４】
なお、別部品２０は、正面側キャビネット４に接着剤など強固な方法で固定するとよい。
【００３５】
また、本実施形態では、射出成形時の金型の理由等で正面側キャビネット４又は背面側キャビネット５に嵌込用突起１２又は嵌込用凹部１３が設けにくい場合に有利であり、嵌込用突起１２が延びる方向を第１の筐体３の回動方向にさらに沿うものとすることもできる。
【００３６】
（その他の実施形態）
本発明は、上記実施形態について、以下のような構成としてもよい。
【００３７】
すなわち、上記実施形態では、電子機器は、折畳み式携帯電話機１としたが、折畳み式のタブレット端末、ＰＨＳ（Personal Handy-phone System ）、ＰＤＡ(Personal Digital Assistant)、パソコン、モバイルツール、ウェアラブル端末、電子辞書、電卓、ゲーム機等であってもよく、小型で折畳み式の液晶ディスプレイ、液晶テレビ等であってもよい。
【００３８】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３９】
１，１０１，２０１      折畳み式携帯電話機（電子機器）
３      第１の筐体
３ａ    背面カバー
３ｂ    上部キャビネット
３ｃ    中央膨出部
４      正面側キャビネット
４ａ    操作キー
４ｂ    外側膨出部
４ｃ    凹部
５      背面側キャビネット
６      リアカバー
７      第２の筐体
８ａ    メイン基板
８ｂ    サブ基板組品
８ｃ    充電池
１０      ヒンジ軸
１１      開状態用ストッパ
１２      嵌込用突起
１２ａ    第１鉤部
１３      嵌込用凹部
１３ａ    第２鉤部
１４      予備嵌込用突起
１５      予備嵌込用凹部
１６      第１予備ストッパ
１７      第２予備ストッパ
１８      ヒンジカバー
２０      別部品
【図１】
2016123040.tif 000003
【図２】
2016123040.tif 000004
【図３】
2016123040.tif 000005
【図４】
2016123040.tif 000006
【図５】
2016123040.tif 000007
【図６】
2016123040.tif 000008
【図７】
2016123040.tif 000009